(57)【要約】【課題】  文書のスタイル編集に関わる作業負担を操作者に強いることなく、イメージファイル形式の文書のスタイルを統一する。【解決手段】  制御部１１は、読み取った文書画像データから、文書のスタイルに関わるデータ（スタイルデータ）と、文書の内容に関わるデータ（内容データ）とを分離して抽出する。そして、制御部１１は、複数の文書のスタイルデータを同一のスタイルを表すスタイルデータに変更する。例えば、読取部１３が最初に読み取った文書のスタイルに統一する場合、その最初に読み取られた文書がＡ４サイズの用紙に横書きで片面に２ｕｐ印刷であり、タイトルのフォントがゴシック体の１２ポイントで、正文のフォントが明朝体の１０ポイントというようなスタイルであったとする。制御部１１は、これ以外の文書のスタイルデータを全て上記と同一になるように書き換える。【選択図】図１
2007088752.tif 000002
【特許請求の範囲】
【請求項１】
文書のスタイルを規定したスタイルテンプレートと、文書の内容を所定の項目別に整理するための内容テンプレートとを記憶したテンプレート記憶手段と、
複数の文書を読み取って各々の文書を画像として表した複数の文書画像データを生成する読取手段から当該複数の文書画像データを受け取り、これら複数の文書画像データが表す各画像に対して、レイアウト解析処理及び文字認識処理を行う解析手段と、
前記解析手段による各々の前記文書画像データについての処理結果を、前記テンプレート記憶手段に記憶されているスタイルテンプレートに当て嵌め、各々の文書画像データについて文書のスタイルを表す複数のスタイルデータを生成するスタイルデータ生成手段と、
前記解析手段による各々の前記文書画像データについての処理結果を、前記テンプレート記憶手段に記憶されている内容テンプレートに当て嵌め、各々の文書画像データについて文書の内容を表す複数の内容データを生成する内容データ生成手段と、
前記スタイルデータ生成手段によって生成された複数の前記スタイルデータと、前記内容データ生成手段によって生成された複数の前記内容データとをそれぞれ対応付けて記憶する第１の記憶手段と、
前記第１の記憶手段に記憶された複数の前記スタイルデータが表す文書のスタイルが同じであるか否かを判別する判別手段と、
前記判別手段により文書のスタイルが同じではないと判別された場合には、前記第１の記憶手段に記憶されている複数の前記スタイルデータを同一のスタイルを表す複数のスタイルデータに変更するスタイル変更手段と、
前記スタイル変更手段によって変更された前記スタイルデータを、その変更前の前記スタイルデータに対応付けて前記第１の記憶手段に記憶されていた前記内容データに関連づけて記憶する第２の記憶手段と、
前記第２の記憶手段により関連づけて記憶されている前記スタイルデータ及び前記内容データを用いて、当該スタイルデータが表すスタイルで当該内容データが表す内容の画像データを生成して出力する出力手段と
を備えることを特徴とする画像処理装置。
【請求項２】
前記出力手段による画像データの出力先が、当該画像データが表す画像を記録シートに形成する画像形成装置であり、
前記画像形成装置が備える機能を検知する機能検知手段と、
前記機能検知手段によって検知された機能により、前記スタイルデータが表すスタイルで前記画像データが表す画像を記録シートに形成することが可能か否かを判断する判断手段と、
前記判断手段により、前記機能検知手段が検知した機能では前記スタイルデータが表すスタイルで前記画像データが表す画像を記録シートに形成することができないと判断された場合には、前記スタイルデータ手段が生成した前記スタイルデータを、前記機能検知手段が検知した機能によって実現可能なスタイルを表すスタイルデータに変更するスタイル調整手段と
を備える請求項１記載の画像処理装置。
【請求項３】
前記判別手段によって文書のスタイルが同じではないと判別された場合には、予め用意された複数のスタイルのうち何れかのスタイルを選択するように操作者に促す画面を表示する表示手段と、
前記操作者が前記複数のスタイルのうちのいずれかのスタイルを指定するための指定手段とを備え、
前記スタイル変更手段は、前記第１の記憶手段によって記憶されている複数の前記スタイルデータを、前記指定手段において指定されたスタイルを表す複数の前記スタイルデータに変更する
ことを特徴とする請求項１記載の画像処理装置。
【請求項４】
前記スタイル変更手段は、前記複数の文書のスタイルのうち最も多いスタイルか、前記複数の文書画像データが表す画像を前記複数の文書のスタイルのそれぞれで記録シートに形成した場合にその総ページ数が最も少なくなるようなスタイルか、又は、前記複数の文書のうち前記読取手段により最初或いは最後に読み取られた文書のスタイルのうちの何れかのスタイルとなるように、前記複数の前記スタイルデータを変更する
ことを特徴とする請求項１記載の画像処理装置。
【請求項５】
文書のスタイルを規定したスタイルテンプレートと、文書の内容を所定の項目別に整理するための内容テンプレートとを記憶したテンプレート記憶手段を備える画像処理装置が実行する画像処理方法であって、
複数の文書を読み取って各々の文書を画像として表した複数の文書画像データを生成する読取手段から当該複数の文書画像データを受け取り、これら複数の文書画像データが表す各画像に対して、レイアウト解析処理及び文字認識処理を行う解析ステップと、
前記解析ステップにおける各々の前記文書画像データについての処理結果を、前記テンプレート記憶手段に記憶されているスタイルテンプレートに当て嵌め、各々の文書画像データについて文書のスタイルを表す複数のスタイルデータを生成する一方、前記解析ステップにおける各々の前記文書画像データについての処理結果を、前記テンプレート記憶手段に記憶されている内容テンプレートに当て嵌め、各々の文書画像データについて文書の内容を表す複数の内容データを生成する生成ステップと、
前記生成ステップにおいて生成された複数の前記スタイルデータと複数の前記内容データとをそれぞれ対応付けて記憶する第１の記憶ステップと、
前記第１の記憶ステップにおいて記憶された複数の前記スタイルデータが表す文書のスタイルが同じであるか否かを判別する判別ステップと、
前記判別ステップにおいて文書のスタイルが同じではないと判別された場合には、前記第１の記憶ステップで記憶された複数の前記スタイルデータを同一のスタイルを表す複数のスタイルデータに変更する変更ステップと、
前記変更ステップにおいて変更された前記スタイルデータを、その変更前の前記スタイルデータに対応付けて前記第１の記憶ステップで記憶されていた前記内容データに関連づけて記憶する第２の記憶ステップと、
前記第２の記憶ステップにおいて関連づけて記憶されている前記スタイルデータ及び前記内容データを用いて、当該スタイルデータが表すスタイルで当該内容データが表す内容の画像データを生成して出力する出力ステップと
を備えることを特徴とする画像処理方法。
【発明の詳細な説明】
【技術分野】
【０００１】
本発明は、画像データによって表された文書のスタイルを変更するための技術に関する。
【背景技術】
【０００２】
会議やミーティングで配布された、ひとまとまりの複数の文書をスキャンし、これを電子化して保存したり、さらに、この保存した文書を用紙に再出力して配布する、という行為がオフィスでは日常的に行われている。しかし、各々の文書の作成者が異なると文書のスタイルが同じではないことが多いため、読み手が文書を読みづらいという問題がある。ここでいう「文書のスタイル」とは、例えば用紙のサイズ、用紙の向き、文章が横書きか縦書きか、文字のフォントの様式、文書中のタイトルの様式、文書中の箇条書きの様式などである。例えば特許文献１には文書のスタイルを変更する技術が開示されている。
【特許文献１】特開平７−１９１９８９号公報
【発明の開示】
【発明が解決しようとする課題】
【０００３】
上述したような事情から、ひとまとまりの複数の文書を保存する際には、それぞれの文書のスタイルを揃えてから保存することが望ましい。ところが、スキャン処理によって得られたデータはイメージファイル（画像データ）であるため、その文書のスタイルを変更するためには、イメージファイルをいったんをテキストファイルに変換し、操作者がそのテキストファイル中のテキストを入力し直して再編集するなど、その大部分を手作業で対処しなければならない。このような作業は非常に煩雑で相当の時間を要するという問題がある。
【０００４】
そこで、本発明は、操作者に文書のスタイル編集に関わる作業負担を強いることなく、画像データによって表される文書のスタイルを統一できる技術を提供することを目的としている。
【課題を解決するための手段】
【０００５】
上述した課題を解決するため、本発明は、文書のスタイルを規定したスタイルテンプレートと、文書の内容を所定の項目別に整理するための内容テンプレートとを記憶したテンプレート記憶手段と、複数の文書を読み取って各々の文書を画像として表した複数の文書画像データを生成する読取手段から当該複数の文書画像データを受け取り、これら複数の文書画像データが表す各画像に対して、レイアウト解析処理及び文字認識処理を行う解析手段と、前記解析手段による各々の前記文書画像データについての処理結果を、前記テンプレート記憶手段に記憶されているスタイルテンプレートに当て嵌め、各々の文書画像データについて文書のスタイルを表す複数のスタイルデータを生成するスタイルデータ生成手段と、前記解析手段による各々の前記文書画像データについての処理結果を、前記テンプレート記憶手段に記憶されている内容テンプレートに当て嵌め、各々の文書画像データについて文書の内容を表す複数の内容データを生成する内容データ生成手段と、前記スタイルデータ生成手段によって生成された複数の前記スタイルデータと、前記内容データ生成手段によって生成された複数の前記内容データとをそれぞれ対応付けて記憶する第１の記憶手段と、前記第１の記憶手段に記憶された複数の前記スタイルデータが表す文書のスタイルが同じであるか否かを判別する判別手段と、前記判別手段により文書のスタイルが同じではないと判別された場合には、前記第１の記憶手段に記憶されている複数の前記スタイルデータを同一のスタイルを表す複数のスタイルデータに変更するスタイル変更手段と、前記スタイル変更手段によって変更された前記スタイルデータを、その変更前の前記スタイルデータに対応付けて前記第１の記憶手段に記憶されていた前記内容データに関連づけて記憶する第２の記憶手段と、前記第２の記憶手段により関連づけて記憶されている前記スタイルデータ及び前記内容データを用いて、当該スタイルデータが表すスタイルで当該内容データが表す内容の画像データを生成して出力する出力手段とを備えることを特徴とする画像処理装置を提供する。本発明によれば、読取手段によって得られた文書画像データから、文書のスタイルに関わるデータ（スタイルデータ）と、文書の内容に関わるデータ（内容データ）とを分離しておき、このうちスタイルデータのほうを複数の文書でスタイルが同じになるように変更する。
【０００６】
本発明の好ましい態様においては、前記出力手段による画像データの出力先が、当該画像データが表す画像を記録シートに形成する画像形成装置であり、前記画像形成装置が備える機能を検知する機能検知手段と、前記機能検知手段によって検知された機能により、前記スタイルデータが表すスタイルで前記画像データが表す画像を記録シートに形成することが可能か否かを判断する判断手段と、前記判断手段により、前記機能検知手段が検知した機能では前記スタイルデータが表すスタイルで前記画像データが表す画像を記録シートに形成することができないと判断された場合には、前記スタイルデータ手段が生成した前記スタイルデータを、前記機能検知手段が検知した機能によって実現可能なスタイルを表すスタイルデータに変更するスタイル調整手段とを備える。画像形成装置がスタイルデータによって表されるスタイルで画像を形成することができなければ、複数の文書のスタイルをそのような画像形成不可能なスタイルに統一する意味がない。この態様によれば、そのような画像形成不可能なスタイルを画像形成装置によって実現可能なスタイルに合うように調整しておくことができる。
【０００７】
また、前記判別手段によって文書のスタイルが同じではないと判別された場合には、予め用意された複数のスタイルのうち何れかのスタイルを選択するように操作者に促す画面を表示する表示手段と、前記操作者が前記複数のスタイルのうちのいずれかのスタイルを指定するための指定手段とを備え、前記スタイル変更手段は、前記第１の記憶手段によって記憶されている複数の前記スタイルデータを、前記指定手段において指定されたスタイルを表す複数の前記スタイルデータに変更するようにしてもよい。これにより、複数の文書のスタイルを操作者が望むスタイルに統一することができる。また、前記スタイル変更手段は、前記複数の文書のスタイルのうち最も多いスタイルか、前記複数の文書画像データが表す画像を前記複数の文書のスタイルのそれぞれで記録シートに形成した場合にその総ページ数が最も少なくなるようなスタイルか、又は、前記複数の文書のうち前記読取手段により最初或いは最後に読み取られた文書のスタイルのうちの何れかのスタイルとなるように、前記複数の前記スタイルデータを変更するようにしてもよい。
【０００８】
また、本発明は、文書のスタイルを規定したスタイルテンプレートと、文書の内容を所定の項目別に整理するための内容テンプレートとを記憶したテンプレート記憶手段を備える画像処理装置が実行する画像処理方法であって、複数の文書を読み取って各々の文書を画像として表した複数の文書画像データを生成する読取手段から当該複数の文書画像データを受け取り、これら複数の文書画像データが表す各画像に対して、レイアウト解析処理及び文字認識処理を行う解析ステップと、前記解析ステップにおける各々の前記文書画像データについての処理結果を、前記テンプレート記憶手段に記憶されているスタイルテンプレートに当て嵌め、各々の文書画像データについて文書のスタイルを表す複数のスタイルデータを生成する一方、前記解析ステップにおける各々の前記文書画像データについての処理結果を、前記テンプレート記憶手段に記憶されている内容テンプレートに当て嵌め、各々の文書画像データについて文書の内容を表す複数の内容データを生成する生成ステップと、前記生成ステップにおいて生成された複数の前記スタイルデータと複数の前記内容データとをそれぞれ対応付けて記憶する第１の記憶ステップと、前記第１の記憶ステップにおいて記憶された複数の前記スタイルデータが表す文書のスタイルが同じであるか否かを判別する判別ステップと、前記判別ステップにおいて文書のスタイルが同じではないと判別された場合には、前記第１の記憶ステップで記憶された複数の前記スタイルデータを同一のスタイルを表す複数のスタイルデータに変更する変更ステップと、前記変更ステップにおいて変更された前記スタイルデータを、その変更前の前記スタイルデータに対応付けて前記第１の記憶ステップで記憶されていた前記内容データに関連づけて記憶する第２の記憶ステップと、前記第２の記憶ステップにおいて関連づけて記憶されている前記スタイルデータ及び前記内容データを用いて、当該スタイルデータが表すスタイルで当該内容データが表す内容の画像データを生成して出力する出力ステップとを備えることを特徴とする画像処理方法を提供する。
【発明を実施するための最良の形態】
【０００９】
以下、本発明を実施するための最良の形態について説明する。
（１）構成
図１は、本実施形態に係る画像処理装置１０の構成を示す図である。この画像処理装置１０は、電子写真方式によって用紙に画像を形成する複合機である。制御部１１は例えばＣＰＵであり、画像処理装置１０の制御主体である。記憶部１２には、制御部１１の実行手順が記述された画像処理プログラムのほか、スタイルテンプレート１２ａと、内容テンプレート１２ｂという２種類のテンプレートが記憶されている。また、記憶部１２には、制御部１１が画像処理プログラムを実行する際に、後述する各種データを記憶するためのデータ記憶領域１２ｃが設けられている。読取部１３は、例えばＡＤＦ（Auto Documents Feeder）を備えたスキャナ装置であり、ＡＤＦにセットされた文書（原稿）を１ページずつ順送りしながら光学的に読み取っていき、その文書の内容を画像として表した文書画像データを生成する。画像形成部１４は、制御部１１から供給される画像データに基づいて、イエロー（Ｙ）色、マゼンダ（Ｍ）色、シアン（Ｃ）色およびブラック（Ｋ）色のトナー像を像担持体に形成し、形成したトナー像を中間転写体を介して用紙（記録シート）に転写し、転写したトナー像を用紙に定着させる。表示部１５は、例えば液晶ディスプレイやＣＲＴで（Cathode Ray Tube）であり、制御部１１の指示に従ってユーザインタフェース画面を表示する。操作部１６は、操作者操作による各種の操作を受け付け、その操作内容を制御部１１に出力する。なお、操作部１６をタッチパネルとし、操作部１６が表示部１５を兼ねるような構成としてもよい。
【００１０】
次に、スタイルテンプレート１２ａと内容テンプレート１２ｂについて説明する。
スタイルテンプレート１２ａは、文書のスタイルを標準的に規定したものであり、制御部１１が読取部１３によって読み取られた文書のスタイルを把握するために用いられる。図２は、スタイルテンプレート１２ａの一例を示した図である。図２に示すように、スタイルテンプレート１２ａは大別して、編集スタイルと、印刷スタイルとを規定している。編集スタイルは、例えば文書のタイトルや正文（文書中のタイトル以下に記述された文書内容そのもの）が横書きか縦書きか、また、文字のフォントのネーム（種類）やサイズ或いは修飾はどのようになっているか、といった内容である。印刷スタイルは、文書のｕｐ数（図中「まとめて１枚」）、文書の向き（文書の用紙が縦か横か）、文書の用紙のサイズ、文書が両面印刷か片面印刷か、文書中の余白のサイズ、文書がカラー印刷が白黒印刷か、といった内容である。このスタイルテンプレート１２ａはＸＭＬ（eXtensible Markup Language）で記述されている。ＸＭＬではタグの内容を設計者が自由に定義できるようになっており、このタグを用いて上記スタイルテンプレート１２ａにおける各項目を定義すると便利だからである。
【００１１】
一方、内容テンプレート１２ｂは、文書の内容を所定の項目別に整理するためのものであり、制御部１１が読取部１３によって読み取られた文書の内容を把握するために用いられる。この内容テンプレート１２ｂの一例を図３に示す。図３に示すように、内容テンプレート１２ｂでは、「タイトル」や「正文」といった項目別に文書の内容（テキスト）が整理されるようになっている。この内容テンプレート１２ｂもスタイルテンプレート１２ａと同様にＸＭＬで記述されている。
【００１２】
（２）動作
次に、画像処理装置１０の動作について説明する。
図４は、画像処理プログラムに記述された制御部１１の動作手順を表すフローチャートである。ここで、操作者はそれぞれスタイルが異なる複数の文書を持っていると仮定する。操作者がそのうちの１つの文書を読取部１３にセットし、操作部１６を用いて画像の読み取りを指示する操作を行う。この操作に応じて、制御部１１は、読取部１３によって文書を読み取り、文書内容を画像として表した文書画像データを生成する（ステップＳ１）。この文書画像データは、記憶部１２のデータ記憶領域１２ｃに記憶される。次に、制御部１１は、この文書画像データに対して、レイアウト解析処理と、テキストデータ（T）／イメージデータ（I）の分離処理と、テキストに対する文字認識処理とを実行する（ステップＳ２）。これらの解析処理により、制御部１１は、読み取った文書がどのようなレイアウトで構成されており、そのレイアウト中のどこにテキストやイメージが配置されており、さらに、そのテキストがどのような内容であるかということを把握することができる。
【００１３】
次に、制御部１１は、ステップＳ２において解析処理した結果をスタイルテンプレート１２ａに当て嵌めることで、読み取った文書のスタイルを表したスタイルデータを生成しこれを記憶部１２（データ記憶領域１２ｃ）に記憶する。また、制御部１１は、ステップＳ２において解析処理した結果を内容テンプレート１２ｂに当て嵌めることで、読み取った文書の内容を表した内容データを生成し、これを記憶部１２（データ記憶領域１２ｃ）に記憶する（ステップＳ３）。
【００１４】
例えば読取部１３によって読み取られた文書が、図５に示すような内容であったとする。この文書の例では、「サンプルファイル」というテキストがタイトルであり、そのタイトル以下に記載された「こんにちは！！こんにちは！！・・・」というテキストが正文である。制御部１１が図５に示した文書の解析結果を図２で説明したＸＭＬベースのスタイルシート１２ａに当て嵌めると、図６に示すようなスタイルデータを得ることになる。図６に示したスタイルデータは、文書のタイトルが横書きであり、そのフォントネームがMS明朝であり、フォントサイズが１２ポイントであり、さらに、そのタイトルには太文字修飾が施されているとことを表している。正文も同様である。また、このスタイルデータは、原稿のｕｐ数は１であり、文書は横向きであり、用紙サイズはＡ４であり、両面印刷であることを表している。そして、図６中の＜ファイル＞タグで指定された「imagefile001」は、ステップＳ１においてデータ記憶領域１２ｃに記憶された文書画像データのファイル名である。つまり、この＜ファイル＞タグによって、オリジナルの文書画像データと、その文書画像データのスタイルを表すスタイルデータとが対応付けられているというわけである。
【００１５】
同様に、制御部１１が図５の文書を図３で説明したＸＭＬベースの内容テンプレート１２ｂに当て嵌めると、図７に示すような内容データが得られる。図７に示すように、内容データには、タイトルの内容（テキスト）と、正文の段落毎の内容（テキスト）とが含まれている。また、＜ファイル＞タグで指定された「imagefile001」は、前述したスタイルデータと同様に、文書画像データと、その文書画像データの内容を表す内容データとを対応付けるものである。
以上のように、データ記憶領域１２ｃには、オリジナルの文書画像データと、その文書画像データから得られたスタイルデータ及び内容データとが対応付けられて記憶されることになる。
【００１６】
次に、制御部１１は、画像形成部１４が備えている機能を検知する（ステップＳ４）。ここでいう「画像形成部が備えている機能」とは、読み取った文書をそのままのスタイルで再出力することが可能か否かに関わる機能であり、例えば両面印刷が可能か否か、どのようなフォントを出力可能であるか、又は、どのようなサイズの用紙に画像を形成することが可能か、といったような機能である。
【００１７】
次に、制御部１１は、検知した画像形成部１４の機能によって、ステップＳ３で生成したスタイルデータが表すスタイルの文書画像を用紙に形成することが可能か否かを判断する（ステップＳ５）。例えば図６に示したスタイルデータでは、文書が両面印刷であることを規定しているのに、画像形成部１４の機能が両面印刷に対応していないような場合、制御部１１は、スタイルデータが表すスタイルの文書画像を用紙に形成することができないと判断する（ステップＳ５；Ｎｏ）。このような場合、制御部１１は、画像形成部１４の機能によって実現可能なスタイルとなるように、スタイルデータの内容を変更する（ステップＳ６）。例えば図８に示すように、図６の「両面」印刷の指定を、「片面」印刷の指定に変更するといった具合である。画像形成部１４がスタイルデータによって表されるスタイルで画像を形成することができなければ、複数の文書をそのような画像形成が不可能なスタイルに統一する意味がない。よって、ステップＳ６では、そのようなスタイルを画像形成部１４が画像形成可能なスタイルに合うように調整しておくのである。
【００１８】
以上の処理が終了すると、制御部１１は、操作者に対して、さらに読み取るべき文書があるかどうかを問い合わせるための画面を表示部１５に表示する。操作者がこの画面を参照し、次の文書を読取部１３に文書をセットして画像の読み取りを指示する操作を行うと、制御部１１は、読み取るべき文書があると判断し（ステップＳ７；Ｙｅｓ）、上述したステップＳ１〜Ｓ６の処理を再度実行する。これらの一連の処理が繰り返され、操作者が持っている全ての文書が画像処理装置１０によって読み取られると（ステップＳ７；Ｎｏ）、制御部１１は、データ記憶領域１２ｃに記憶されている複数のスタイルデータが表すスタイルが全て同一であるか否かを判別する（ステップＳ８）。これらが同一である場合には、制御部１１の処理は後述するステップＳ１３に進む。
【００１９】
一方、制御部１１は、複数の文書のスタイルが同一でないと判別した場合には（ステップＳ８；Ｎｏ）、これらのスタイルデータのうち、他のスタイルデータと同一ではないスタイルデータを、他のスタイルデータと同一のスタイルになるように変更する。具体的には、まず、制御部１１は、統一スタイルが操作者によって予めデフォルト設定されているかどうかを判断する（ステップＳ９）。統一スタイルがデフォルト設定されていれば（ステップＳ９；Ｙｅｓ）、制御部１１の処理は後述するステップＳ１２に移行する。
【００２０】
デフォルト設定されている統一スタイルがなければ、制御部１１は、スタイル選択画面を表示部１５に表示する（ステップＳ１０）。このスタイル選択画面は、予め用意された複数の文書スタイルのうち、何れかのスタイルを統一スタイルとして選択するように操作者に促す画面である。統一スタイルの選択肢としては、例えば、「複数の文書のスタイルのうち最も多いスタイルに統一する」とか、「複数の文書画像データが表す画像をこれら複数の文書のスタイルのそれぞれで用紙に形成した場合にその総ページ数が最も少なくなるようなスタイルに統一する」とか、「複数の文書のうち読取部１３により最初或いは最後に読み取られた文書のスタイルに統一する」といったものがある。なお、統一スタイルをデフォルトで設定する場合、これらの選択肢の中から操作者が所望のものを選択して設定してもよいし、操作者がスタイルの詳細（例えば用紙のサイズからタイトルのフォントの様式など）を１つ１つ設定しておいてもよい。
【００２１】
操作者が操作部１６を用いて、これら複数のスタイルのうちの何れかのスタイルを指定すると、制御部１１はこの操作を受け付け（ステップＳ１１；Ｙｅｓ）、指定されたスタイル（又はデフォルト設定があればその設定されている統一スタイル）となるように、これらのスタイルデータを変更する（ステップＳ１２）。例えば操作者が読取部１３で最初に読み取った文書のスタイルに統一するように指示したと仮定する。そして、その最初に読み取られた文書が、Ａ４サイズの用紙の片面に横書きの２ｕｐ印刷であり、タイトルのフォントがゴシック体の１２ポイントで、正文のフォントが明朝体の１０ポイントというようなスタイルであったとする。この場合、制御部１１は、この最初に読み取った文書とは異なるスタイルの文書のスタイルデータを全て上記と同一になるように書き換える。具体的には、図６や図８に示したようなスタイルデータにおいて、各々のタグによって挟まれた内容を統一した内容に書き換えればよい。また、文書の総ページ数が最も少なくなるようなスタイルに統一する場合には、制御部１１は、複数の文書のスタイルのそれぞれで用紙に画像を形成した場合をシミュレーションすることで、文書の総ページ数が最も少なくなるようなスタイルを特定する。そして、制御部１１は、そのスタイルにスタイルデータを統一すればよい。このようにして、制御部１１はスタイルデータを統一すると、これらをその変更前のスタイルデータに対応付けて記憶されていた内容データに関連づけて記憶部１２（データ記憶領域１２ｃ）に記憶する。
【００２２】
この後、操作者が操作部１６を用い、文書画像データのファイル名を指定して文書画像を形成することを指示したとする。制御部１１は、この操作を受け付けると、画像を形成するべきと判断し（ステップＳ１３；Ｙｅｓ）、記憶部１２（データ記憶領域１２ｃ）から、上記ファイル名に関連づけて記憶されているスタイルデータ（変更後のスタイルデータ）及び内容データを読み出す。そして、制御部１１は、読み出したスタイルデータが表すスタイルで、読み出した内容データが表す内容の画像データを生成する（ステップＳ１４）。そして、制御部１１はその画像データを画像形成部１４に出力し、用紙に文書画像を形成させる（ステップＳ１５）。このようにして用紙に形成された文書はスタイルが全て統一されているから、操作者にとっては非常に見やすい。
【００２３】
以上説明したように、画像処理装置１０は、読取部１３によって読み取った文書画像データから、文書のスタイルに関わるデータ（スタイルデータ）と、文書の内容に関わるデータ（内容データ）とを分離して抽出する。スタイルに関するデータと内容に関するデータとを分離しておけば、スタイルに関するデータだけを変更することで、文書のスタイルを自在に変更することができる。つまり、複数の文書のスタイルを容易に統一することが可能となる。従って、読取部１３によって読み取られた複数の文書が例えば縦書きの文書や横書きの文書であったり、フォントの内容が異なっている、というように文書のスタイルが異なっていたとしても、画像形成部１４によって出力される文書ではスタイルを全て統一することが可能となる。よって、操作者は文書のスタイル編集に関して大きな作業負担を負う必要がない。また、どのようなスタイルに統一するかを操作者が任意に指定することもできるから、操作者は文書の内容を考慮して適切だと思われるスタイルに統一することが可能となる。
【００２４】
なお、上述した画像処理装置１０は、スキャナ機能や画像形成機能を備えた複合機に限らず、そのような複合機にホスト装置として接続されたコンピュータによって実現されるものであってもよい。この場合、画像処理装置１０は、図１に示した読取部１３及び画像形成部１４を備えないことになる。また、スタイルテンプレート１２ａ、内容テンプレート１２ｂ及び画像処理プログラムは、例えば磁気テープ、磁気ディスク、フロッピー（登録商標）ディスク、光記録媒体、光磁気記録媒体、ＣＤ（Compact Disk）−ＲＯＭ、ＤＶＤ（Digital Versatile Disk）等の各種記録媒体に記録された状態で販売・流通可能である。
【図面の簡単な説明】
【００２５】
【図１】同実施形態に係る画像処理装置の構成を示すブロック図である。
【図２】スタイルテンプレートの内容の一例を示す図である
【図３】内容テンプレートの内容の一例を示す図である
【図４】同装置の動作を示すフローチャートである。
【図５】文書の一例を示す図である。
【図６】スタイルデータの例を示す図である。
【図７】内容データの例を示す図である。
【図８】スタイルデータを変更した例を示す図である。
【符号の説明】
【００２６】
１０・・・画像処理装置、１１・・・制御部、１２・・・記憶部、１２ａ・・・スタイルテンプレート、１２ｂ・・・内容テンプレート、１３・・・読取部、１４・・・画像形成部、１５・・・表示部、１６・・・操作部。
【図１】
2007088752.tif 000003
【図２】
2007088752.tif 000004
【図３】
2007088752.tif 000005
【図４】
2007088752.tif 000006
【図５】
2007088752.tif 000007
【図６】
2007088752.tif 000008
【図７】
2007088752.tif 000009
【図８】
2007088752.tif 000010